(57)【要約】      （修正有）【課題】簡素な構造にもかかわらず、電子機器の筐体内に実装されるスピーカからの音声を聞き取りやすくすることに寄与するスピーカおよびそれを備える電子機器を提供する。【解決手段】電子機器１０の筐体１１内に実装されるスピーカ１であって、前記筐体１１の表面側に配置されているハードキー１２を振動板として利用するスピーカ１。【選択図】図２
2014093555.tif 000002
【特許請求の範囲】
【請求項１】
電子機器の筐体内に実装されるスピーカであって、
前記筐体の表面側に配置されているハードキーを振動板として利用する、ことを特徴とするスピーカ。
【請求項２】
前記スピーカは、前記筐体ないし前記電子機器の背面側に実装される、ことを特徴とする請求項１記載のスピーカ。
【請求項３】
前記スピーカの前面側であって、前記電子機器の背面側となる部分に第１の振動板が配置され、
前記電子機器の表面側にあって、前記スピーカの背面側となる部分にある前記ハードキーが、第２の振動板として利用される、ことを特徴とする請求項１記載のスピーカ。
【請求項４】
前記スピーカは、前記筐体の前面側となる部分に後気室を備え、前記ハードキーの背面は前記後気室内に面することを特徴とする請求項１記載のスピーカ。
【請求項５】
前記筐体の背面側に、前記スピーカの前面側から出力される音声が送出される音孔が形成されることを特徴とする請求項１記載のスピーカ。
【請求項６】
前記スピーカは、磁石とボイスコイルを備えるダイナミック型スピーカであることを特徴とする請求項１記載のスピーカ。
【請求項７】
筐体内にスピーカが実装された電子機器であって、
前記筐体の表面側に配置されているハードキーを振動板として利用する、ことを特徴とする電子機器。
【発明の詳細な説明】
【技術分野】
【０００１】
本発明は、スピーカ及びそれを備えた電子機器に関する。
【背景技術】
【０００２】
近年、携帯電話やタブレットのような電子機器は、その小型化および軽量化が図られる一方で、電子機器の前面に搭載される液晶画面の大画面化が進行している。このため、電子機器の表面側には、スピーカを実装するスペースがなくなり、図４に示すように、電子機器４０の背面側にスピーカ３１を実装するケースが多々見受けられる。
【０００３】
図５は、図４に示した、従来例の一例に係るスピーカおよびそれを備える電子機器の構造を説明する図である。図５を参照すると、電子機器４０の筐体４１の背面側に、スピーカ３１が両面テープ４４によって装着されている。筐体４１の表面側には、ＬＣＤ（液晶表示画面）４３が実装されている。筐体４１の背面側の壁部には、音孔４５が形成されている。スピーカ３１自体の前面側には、第１の振動板３４が配置されている。スピーカ３１自体の背面側（音孔に離隔する例）には、後気室３５が配置されている。スピーカ３１の作動によって、第１の振動板３４が振動し、音孔４５を通じて、電子機器４０の背面側から音声が出力される。
【０００４】
また、特許文献１には、テレビジョンの前面側、すなわち、表示画面側に二次振動板を設けるテレビジョン用のスピーカ装置が提案されている。
【０００５】
特許文献２には、テレビジョンの前面側、すなわち、表示画面側にスピーカを実装し、各所に配置されたダイヤフラムの振動によって、スピーカのキャビネット容量を調整し、スピーカの前面側から、すなわち、テレビジョンの前面側から送出される音声の低音特性の改善を図るテレビジョン用のスピーカ装置が提案されている。
【先行技術文献】
【特許文献】
【０００６】
【特許文献１】特開平４−１９２７９５号公報
【特許文献２】再特ＷＯ２００５−１０１８９６号公報
【発明の概要】
【発明が解決しようとする課題】
【０００７】
以下の分析は、本発明によって与えられたものである。
【０００８】
しかしながら、図４および図５に示したような従来例によれば、電子機器の背面側から音声が出力されることになる。通常、ユーザは、電子機器の表面側の液晶表示画面を見ながら、電子機器を操作するから、背面側から出力される音声は小さく聞こえる。
【０００９】
特許文献１には、振動板以外の機能を有する既存の部材を振動板として利用するスピーカ構成が開示されていない。
【００１０】
特許文献２には、電子機器の背面側にスピーカを配置する構造が開示されておらず、又、様々な振動板や仕切り板を新たに設けるスピーカ構成が提案されているが、振動板以外の機能を有する既存の部材を振動板として利用する構成は、開示されていない。
【００１１】
かくして、簡素な構造にもかかわらず、電子機器の筐体内に実装されるスピーカからの音声を聞き取りやすくすることに寄与するスピーカおよびそれを備える電子機器の実施が望まれる。
【課題を解決するための手段】
【００１２】
本発明は、第１の視点において、電子機器の筐体内にスピーカを実装し、筐体の表面側に配置されているハードキーを振動板として利用するスピーカを提供する。なお、ハードキーは、ユーザによる押圧又は押圧解除操作を受けて、電子機器に所定の機能を実行させるためのものであり、例えば、テンキー、カーソルやコマンドボタンである。
【００１３】
本発明は、第２の視点において、電子機器の筐体内にスピーカを実装し、電子機器ないし筐体の表面側に配置されている所定部材を振動板として利用する電子機器を提供する。
【発明の効果】
【００１４】
本発明は、第１および第２の視点において、下記の効果に寄与することができる。スピーカは筐体ないし電子機器の表面側のハードキーを振動板として利用することにより、ユーザに指向する表面側から音声が出力されるため、表面側の例えば画面を見ているユーザは、音声を聞き取りやすくなる。また、振動板として、ハードキーを活用することにより、簡素な構造で音声の聞き取り性が改善される。
【図面の簡単な説明】
【００１５】
【図１】一実施形態に係るスピーカとして、利用可能なダイナミック型スピーカの原理を説明するための図である。
【図２】一実施形態に係るスピーカおよびそれを備える電子機器の構造を説明する図である。
【図３】他の実施形態に係るスピーカおよびそれを備える電子機器の構造を説明する図である。
【図４】従来例の一例に係るスピーカおよびそれを備える電子機器の利用状況を説明する図である。
【図５】図４に示した、従来例の一例に係るスピーカおよびそれを備える電子機器の構造を説明する図である。
【発明を実施するための形態】
【００１６】
本発明の一実施形態の概要について、図面を参照して説明する。なお、この概要に付記した図面参照符号は、理解を助けるための一例として各要素に便宜上付記したものであり、本発明を図示の態様に限定することを意図するものではない。
【００１７】
図１は、好ましい一実施形態に係るスピーカとして、利用可能なダイナミック型スピーカの原理を説明するための図である。図１を参照すると、スピーカ１は、永久磁石２と、永久磁石の周りに配置された筒状のボイスコイル３と、スピーカ１の前面側に配置された第１の振動板４と、を備えている。ボイスコイル３に電流が流れると、ボイスコイル３は、この電流変化に応じた力を受けて振動し、この振動が第１の振動板４に伝達され、スピーカ１の前面側（筐体の背面側）から音声が出力される。また、スピーカ１の背面側（筐体の前面側）にも、後気室５を通じて振動が伝達される。本実施形態では、この後気室５を通じて伝達される振動を利用する。
【００１８】
図２を参照すると、一実施形態に係るスピーカ１は、電子機器１０の筐体１１の背面側に実装されている。スピーカ１は、筐体１１の表面側に配置されている所定部材、好ましくは、ハードキー１２を振動板として利用する。スピーカ１の作動に伴い、上述したスピーカ１の背面側からの振動を受けて、ハードキー１２が振動することにより、ユーザを指向している電子機器１０の表面側から音声が出力されるため、該表面側の例えば画面を見ているユーザは、音声を聞き取りやすくなる。
【００１９】
好ましい一実施形態によれば、スピーカ１ないし電子機器１０は、さらに、スピーカ１の前面側、すなわち、電子機器１０の背面側に、第１の振動板４を備えてもよく、上述のハードキー１２は第２の振動板１２として利用される。この形態によれば、スピーカ１から出力される音圧をさらに高めることができる。
【００２０】
続いて、本発明の一実施形態について図面を参照して詳細に説明する。なお、以降の記述において、多くの具体的事項は、説明のため、本発明の理解を助けるためになされたものである。
【００２１】
図２は、一実施形態に係るスピーカおよびそれを備える電子機器の構造を説明する図である。図２を参照すると、スピーカ１は、電子機器１０の筐体１１の背面側（背面側の内側面）に、両面テープ１４によって貼り付けられている。筐体１１の前面側にはＬＣＤ（液晶表示画面）１３とハードキー１２が実装されている。筐体１１の背面側（後壁）には、さらに、音孔１５が形成されている。
【００２２】
スピーカ１の前面側であって、電子機器１０ないし筐体１１の背面側となる部分には、第１の振動板４が配置されている。スピーカ１は、電子機器１０ないし筐体１１の前面側となる部分に後気室５を備えている。電子機器１０の表面側にあって、スピーカ１の背面側となる部分にあるハードキー１２の背面は、後気室５内に面している。このハードキー１２が、第２の振動板１２として利用される。
【００２３】
以上説明したスピーカ１および電子機器１０の音声機能を説明する。スピーカ１が作動すると、スピーカ１の前面側（電子機器１０ないし筐体１１の背面側）にある第１の振動板４が振動して、電子機器１０の背面側にある音孔１５から音声が送出される。同時に、スピーカ１の振動は、後気室５を介して、スピーカ１の背面側（電子機器１０ないし筐体１１の表面側）にあるハードキー（第２の振動板）１２が振動して、電子機器１０の表面側からも音声が出力される。このように、電子機器１０の両側から音声が出力されることによって音圧レベルが向上し、電子機器１０の表面側のＬＣＤ１３を見ているユーザは、より大きな音声を聴くことができる。
【００２４】
この改善は、既存の部材、すなわち、ハードキー１２を利用した簡素な構成で実現することができ、電子機器１０に、新たな音響デバイスを実装しなくてもよい。
【００２５】
前記実施形態では、図２を参照しながら、スピーカ１が筐体１１ないし電子機器１０の背面側に実装されている例を説明した。次に、他の実施形態として、図３を参照しながら、スピーカ１が筐体１１ないし電子機器１０の前面側に実装される例を説明する。なお、この他の実施形態に係るスピーカ１等が、前記実施形態の同様に構造を有する点については、適宜、前記実施形態を参照することができるものとし、本実施形態では、主として、前記実施形態との相違点について説明する。
【００２６】
図３を参照すると、スピーカ１は、筐体１１ないし電子機器１０内において、前面側に実装されている。これによって、表面のハードキー１２と、スピーカ１の距離が短縮されている。スピーカ１は、両面テープ１４によって、筐体１１内部に貼り付けることができ、又、他の方法で取り付けてもよい。
【００２７】
以上、本発明の一実施形態を説明したが、本発明は、上記した一実施形態に限定されるものではなく、本発明の基本的技術的思想を逸脱しない範囲で、更なる変形・置換・調整を加えることができる。
【００２８】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００２９】
１  スピーカ
２  永久磁石
３  ボイスコイル
４  第１の振動板
５  後気室
１０  電子機器
１１  筐体
１２  ハードキー、第２の振動板
１３  ＬＣＤ（液晶表示画面）
１４  両面テープ
１５  音孔
【図１】
2014093555.tif 000003
【図２】
2014093555.tif 000004
【図３】
2014093555.tif 000005
【図４】
2014093555.tif 000006
【図５】
2014093555.tif 000007